(57)【要約】【課題】コントラスト比を向上させることのできる電気泳動表示装置、及び電子機器を提供する。【解決手段】素子基板６６上に設けられ、共通電極６４と対向する対向面を有する画素電極６３と、対向基板６７上に設けられ、画素電極６３と対向する対向面を有する共通電極６４と、対向面間に挟持され、白色粒子７３及び黒色粒子７４を含む電気泳動層７０と、画素電極６３及び共通電極６４のうち少なくとも一方の前記対向面に対し、傾斜して設けられる光透過性の隔壁６５とを備える。【選択図】図４
2009230082.tif 000002
【特許請求の範囲】
【請求項１】
対向する対向面をそれぞれ有する第１及び第２の電極と、
前記対向面間に挟持され、電気泳動粒子を含む電気泳動層と、
前記第１及び第２の電極のうち少なくとも一方の前記対向面に対し、傾斜して設けられる光透過性を有する隔壁とを備える
ことを特徴とする電気泳動表示装置。
【請求項２】
前記隔壁は、前記対向面における所定の直交座標軸のうち少なくとも一方の座標軸に対して傾斜する
ことを特徴とする請求項１に記載の電気泳動表示装置。
【請求項３】
前記対向面間の距離が長さｔであり、前記隔壁の前記座標軸方向における幅が長さｄであるときに、傾斜角度θ＜ｔａｎ-1（ｔ／２ｄ）である
ことを特徴とする請求項２に記載の電気泳動表示装置。
【請求項４】
前記隔壁は、前記対向面に対して傾斜して設けられる部分として傾斜部を有する
ことを特徴とする請求項１に記載の電気泳動表示装置。
【請求項５】
請求項１乃至５の何れか１項に記載の電気泳動表示装置を備える
ことを特徴とする電子機器。
【発明の詳細な説明】
【技術分野】
【０００１】
本発明は、隔壁方式の電気泳動表示装置、及びこの電気泳動表示装置を備える電子機器に関する。
【背景技術】
【０００２】
従来、この種の電気泳動表示装置として、対向する２つの基板において、基板上の複数の電極に対応して土手部（隔壁）を形成し、土手部（隔壁）により囲まれた各領域内に電気泳動粒子と絶縁性液体よりなる電気泳動液体を充填した一方の基板と、対向電極を有する他方の基板とを張り合わせるようにしたものが知られている（例えば特許文献１参照）。
【特許文献１】特開平６−３４３２６０号公報
【０００３】
しかしながら、従来の電気泳動表示装置では、隔壁が基板に対して垂直に形成されているので、電極間に電圧を印加しても隔壁部分には電気泳動粒子が存在しないために隔壁部分の反射率を電気的に制御することができなかった。その結果、例えば白色粒子と黒色粒子とを用いて白色又は黒色を表示する場合、電極間に電圧を印加して白色粒子及び黒色粒子を電気泳動させても、隔壁部分の反射率は変化しないので、隔壁部分が白く又は黒く見えない。従って、表示部全体で十分に明るい白色、十分に暗い黒色を表示することができず、コントラスト比が低下するという問題があった。
【０００４】
本発明は前記問題に鑑みてなされたものであり、コントラスト比を向上させることのできる電気泳動表示装置、及び電子機器を提供することを目的の１つとする。
【発明の開示】
【課題を解決するための手段】
【０００５】
本発明に係る電気泳動表示装置は、前記課題を解決するために、対向する対向面をそれぞれ有する第１及び第２の電極と、前記対向面間に挟持され、電気泳動粒子を含む電気泳動層と、前記第１及び第２の電極のうち少なくとも一方の前記対向面に対し、傾斜して設けられる光透過性を有する隔壁とを備える。
【０００６】
従来の電気泳動表示装置では対向面に垂直な方向の光が隔壁を透過しても電気泳動粒子は見えなかったが、かかる構成によれば、第１及び第２の電極のうち少なくとも一方の対向面に対し、隔壁が傾斜して設けられるので、対向面に垂直な方向の光が隔壁を透過することで、隔壁の背後に隠れる隣の電気泳動層の電気泳動粒子を見ることができる。これにより、隔壁部分が例えば白く又は黒く見えるようになり、表示部全体で白色は明るく、黒色は暗く表示することができ、コントラスト比を向上させることができる。
【０００７】
好ましくは、前記隔壁は、前記対向面における所定の直交座標軸のうち少なくとも一方の座標軸に対して傾斜する。
【０００８】
かかる構成によれば、対向面における所定の直交座標軸のうち少なくとも一方の座標軸に対し、隔壁が傾斜するので、隔壁が両方の座標軸に対して傾斜する場合、対向面に垂直な方向の光が隔壁を透過することで、隔壁の背後に隠れるＸ軸方向及びＹ軸方向に隣の電気泳動層の電気泳動粒子を見ることができる。これにより、さらにコントラスト比を向上させることができる。
【０００９】
好ましくは、前記対向面間の距離が長さｔであり、前記隔壁の前記座標軸方向における幅が長さｄであるときに、傾斜角度θ＜ｔａｎ-1（ｔ／２ｄ）である
【００１０】
かかる構成によれば、隔壁の傾斜角度θがｔａｎ-1（ｔ／２ｄ）より小さいので、例えば黒色（又は白色）を表示するときに、黒色粒子（又は白色粒子）が電気泳動層の略半分に集まる場合、対向面に垂直な方向から、表示する色とは反対の色の白色粒子（又は黒色粒子）が見えなくなる。これにより、さらにコントラスト比を向上させることができる。
【００１１】
好ましくは、前記隔壁は、前記対向面に対して傾斜して設けられる部分として傾斜部を有する。かかる構成によれば、隔壁が対向面に対して傾斜して設けられる部分として傾斜部を有するので、一部のみが傾斜するように隔壁を形成することができる。これにより、傾斜部以外の形状を自由に形成した隔壁を構成することができる。
【００１２】
本発明に係る電子機器は、前記課題を解決するために、前述した本発明に係る電気泳動表示装置を備える。
【００１３】
かかる構成によれば、前述した本発明に係る電気泳動表示装置を備えるので、コントラスト比を向上させることができ、例えば発色の鮮やかな各種電子機器を実現することができる。
【発明を実施するための最良の形態】
【００１４】
以下、本発明の一実施形態について図面を参照しながら説明する。
（電気泳動表示装置）
最初に、図１乃至図７を参照して本発明に係る電気泳動表示装置について説明する。図１は本発明に係る電気泳動表示装置の全体構成を説明する概略構成図である。図１に示すように、電気泳動表示装置１は、コントローラ１０と、表示部２０と、走査線駆動回路３０と、データ線駆動回路４０と、電源回路５０とを備えている。
【００１５】
コントローラ１０は、走査線駆動回路３０及びデータ線駆動回路４０の動作を制御するものである。コントローラ１０は、画像信号処理回路（図示せず）等を含んでおり、表示部２０に表示させる画像の画像信号、画像書き換え時にリセットするためのリセット信号、スタートパルス等のタイミング信号等の各種信号を生成し、走査線駆動回路３０及びデータ線駆動回路４０に出力している。
【００１６】
表示部２０は、略平面のＹ方向に沿って配列されたｍ本の走査線２１（走査線Ｙ１、Ｙ２、…、Ｙｍ）と、略平面のＸ方向に沿って配列されたｎ本のデータ線２２（データ線Ｘ１、Ｘ２、…、Ｘｎ）と、走査線２１とデータ線２２との各交点に配置される画素回路６０とを備えている。
【００１７】
走査線駆動回路３０は、表示部２０の各走査線Ｙ１、Ｙ２、…、Ｙｍに接続されている。また、走査線駆動回路３０は、コントローラ１０から入力されるタイミング信号に基づいて、各走査線Ｙ１、Ｙ２、…、Ｙｍに走査線信号をパルス的に順次供給している。
【００１８】
データ線駆動回路４０は、表示部２０の各データ線データ線Ｘ１、Ｘ２、…、Ｘｎと接続されている。また、データ線駆動回路４０は、コントローラ１０から入力されるタイミング信号に基づいて、データ線Ｘ１、Ｘ２、…、Ｘｎに画像信号を供給している。画像信号は、例えば５ボルトの高電位レベル（以下、ハイレベルという）、又は、例えば０ボルトの低電位レベル(以下、ローレベルという)の二値的なレベルをとる。
【００１９】
電源回路５０は、高電位電源線５１、低電位電源線５２及び共通電位線５３に接続されている。また、電源回路５０は、高電位電源線５１に例えば１２〜１５ボルトで一定の高電位ＶＨを、低電位電源線５２に例えば０ボルトで一定の低電位ＶＬを、共通電位線５３に共通電位Ｖｃｏｍを、それぞれ供給している。
【００２０】
図２は、図１に示した各画素回路の構成を説明する回路図である。図２に示すように、画素回路６０は、スイッチング用トランジスタ６１と、メモリ回路６２と、画素電極６３と、共通電極６４と、隔壁６５と、電気泳動層７０とを備えている。
【００２１】
画素スイッチング用トランジスタ６１は、Ｎ型トランジスタで構成されており、ゲートが走査線２１に、ソースがデータ線２２に、ドレインがメモリ回路６２の入力端子Ｎ１に、それぞれ接続されている。また、画素スイッチング用トランジスタ６１は、データ線駆動回路４０からデータ線２２を介して供給される画像信号を、走査線駆動回路３０から走査線２１を介して供給される走査信号に応じたタイミングで、メモリ回路６２の出力端子Ｎ２に出力している。
【００２２】
メモリ回路６２は、インバータ回路６２ａ，６２ｂを有しており、ＳＲＡＭ（Static Random Access Memory）として構成されている。
【００２３】
インバータ回路６２ａ，６２ｂは、互いの入力端子に他方の出力端子が接続されたループ構造を有している。すなわち、インバータ回路６２ａの入力端子とインバータ回路６２ｂの出力端子とが接続され、インバータ回路６２ｂの入力端子とインバータ回路６２ａの出力端子とが接続されている。また、インバータ回路６２ａの入力端子はメモリ回路６２の入力端子Ｎ１として構成され、インバータ回路６２ａの出力端子はメモリ回路６２の出力端子Ｎ２として構成されている。
【００２４】
インバータ回路６２ａは、Ｎ型トランジスタ６２ａ１と、Ｐ型トランジスタ６２ａ２とを備えている。Ｎ型トランジスタ６２ａ１及びＰ型トランジスタ６２ａ２のゲートは、メモリ回路６２の入力端子Ｎ１に接続されている。Ｎ型トランジスタ６２ａ１のソースは低電位電源線５２に接続され、Ｐ型トランジスタ６２ａ２のソースは高電位電源線５１に接続されている。Ｎ型トランジスタ６２ａ１及びＰ型トランジスタ６２ａ２のドレインは、メモリ回路６２の出力端子Ｎ２に接続されている。
【００２５】
インバータ回路６２ｂは、Ｎ型トランジスタ６２ｂ１と、Ｐ型トランジスタ６２ｂ２とを備えている。Ｎ型トランジスタ６２ｂ１及びＰ型トランジスタ６２ｂ２のゲートは、メモリ回路６２の出力端子Ｎ２に接続されている。Ｎ型トランジスタ６２ｂ１のソースは低電位電源線５２に接続され、Ｐ型トランジスタ６２ｂ２のソースは高電位電源線５１に接続されている。Ｎ型トランジスタ６２ｂ１及びＰ型トランジスタ６２ｂ２のドレインは、メモリ回路６２の入力端子Ｎ１に接続されている。
【００２６】
このように構成されたメモリ回路６２は、入力端子Ｎ１にハイレベルの画像信号が入力されると、出力端子Ｎ２から低電位ＶＬを出力し、入力端子Ｎ１にローレベルの画像信号が入力されると、出力端子Ｎ２から高電位ＶＨを出力する。
【００２７】
画素電極６３は、メモリ回路６２の出力端子Ｎ２に接続されている。すなわち、画素電極６３には、メモリ回路６２に入力された画像信号に応じて、高電位ＶＨ又は低電位ＶＬがメモリ回路６２から供給されている。また、画素電極６３は、電気泳動層７０を介して共通電極６４と互いに対応するように配置されている。
【００２８】
共通電極６４は、共通電位線５３に接続されており、共通電位Ｖｃｏｍが供給されている。
【００２９】
隔壁６５は、画素電極６３と共通電極６４との間の空間を区画するものである。電気泳動層７０は、隔壁６５によって区画された空間に配置され、画素電極６３と共通電極６４との間に挟持されている。
【００３０】
図３は、図１に示した表示部の部分縦平面図である。図３に示すように、隔壁６５は、画素電極６３と共通電極６４との間の平面において、所定のＸ軸方向及びＹ軸方向にそれぞれ一定の間隔（幅）ｄで設けられている。また、隔壁６５によって区画された複数の空間には、それぞれ電気泳動層７０が充填されている。なお、隔壁６５の幅は、Ｘ軸方向とＹ軸方向とで異なっていてもよいし、一定でなくてもよい。
【００３１】
図４は、図３に示したＡ−Ａ線矢視方向断面図である。素子基板６６は、例えばガラス又は樹脂等からなる基板である。図４では図示を省略したが、素子基板６６上には、前述の画素スイッチング用トランジスタ６１、メモリ回路６２、走査線２１、データ線２２、高電位電源線５１、低電位電源線５２、及び共通電位線５３等を含む積層構造が形成されている。この積層構造の上層側に、複数の画素電極６３がマトリクス状に設けられている。
【００３２】
対向基板６７は、例えばガラス又は樹脂等からなる光透過性の基板である。素子基板６６及び対向基板６７は、対向するように設けられており、対向基板６７は、図４において上方にある表示部２０の表示面側に配置されている。対向基板６７における素子基板６６との対向面上には、複数の画素電極６３と対向して共通電極６４がベタ状に形成されている。共通電極６４は、例えばマグネシウム銀（ＭｇＡｇ）、インジウム・スズ酸化物（ＩＴＯ）、インジウム・亜鉛酸化物（ＩＺＯ）等の光透過性の導電材料から構成されている。
【００３３】
電気泳動層７０は、１つの画素電極６３に対して１つ又は複数配置され、図４では、１つの画素電極６３に対し、Ｘ軸方向に３つの電気泳動層７０が配置されている。電気泳動層７０は、分散媒（図示せず）と、複数の白色粒子７３と、複数の黒色粒子７４とから構成されている。
【００３４】
分散媒は、白色粒子７３及び黒色粒子７４を電気泳動層７０内に分散させる媒質である。分散媒としては、水や、メタノール、エタノール、イソプロパノール、ブタノール、オクタノール、メチルセルソルブ等のアルコール系溶媒や、酢酸エチル、酢酸ブチル等の各種エステル類や、アセトン、メチルエチルケトン、メチルイソブチルケトン等のケトン類や、ペンタン、ヘキサン、オクタン等の脂肪族炭化水素や、シクロヘキサン、メチルシクロヘキサン等の脂環式炭化水素や、ベンゼン、トルエンや、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素や、塩化メチレン、クロロホルム、四塩化炭素、１，２−ジクロロエタン等のハロゲン化炭化水素や、カルボン酸塩やその他の油類を、単独で又は混合して用いることができる。また、分散媒には、界面活性剤を配合してもよい。
【００３５】
白色粒子７３は、例えば二酸化チタン、亜鉛華（酸化亜鉛）、三酸化アンチモン等の白色顔料からなる粒子、高分子、又はコロイドであり、例えば負に帯電されている。
【００３６】
黒色粒子７４は、例えばアニリンブラック、カーボンブラック等の黒色顔料からなる粒子、高分子、又はコロイドであり、例えば正に帯電されている。これにより、白色粒子７３及び黒色粒子７４は、画素電極６３と共通電極６４との間の電位差により発生する電場によって、分散媒中を移動することができる。
【００３７】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加してもよい。
【００３８】
白色粒子７３及び黒色粒子７４は、電気泳動層７０においてそれぞれ略半分ずつ存在している。図４に示すように、画素電極６３と共通電極６４との間に、相対的に画素電極６３の電位が高くなるように電圧が印加された場合には、負に帯電された白色粒子７３はクーロン力によって各電気泳動層７０内で画素電極６３側に引き寄せられるとともに、正に帯電された黒色粒子７４はクーロン力によって各電気泳動層７０内で共通電極６４側、すなわち、表示部２０の表示面側に引き寄せられる。これにより、電気泳動層７０内の表示面側に黒色粒子７４が集められ、表示部２０の表示面には黒色が表示される。逆に、相対的に共通電極６４の電位が高くなるように電圧が印加された場合には、電気泳動層７０内の表示面側に白色粒子７３が集められ、表示部２０の表示面には白色が表示される。
【００３９】
隔壁６５は、光透過性を有する樹脂、例えばアクリルやポリイミドなどから構成されている。また、隔壁６５は、画素電極６３及び共通電極６４の対向面に対して、それぞれ傾斜角度θをなすように傾斜して設けられている。従来の電気泳動表示装置では対向面に垂直な方向の光が隔壁６５を透過しても黒色粒子７４は見えなかったが、このように、画素電極６３及び共通電極６４の対向面に対し、隔壁６５が傾斜して設けられるので、対向面に垂直な方向の光が隔壁６５を透過することで、隔壁６５の背後に隠れる隣の電気泳動層７０の黒色粒子７４を見ることができる。
【００４０】
また、図４に示すように、画素電極６３の電位が高くなるように電圧が印加された結果、白色粒子７３及び黒色粒子７４が、画素電極６３と共通電極６４との距離ｔの半分に集められる場合、傾斜角度θは、以下の式（１）を満たすことが好ましい。
０＜θ＜ｔａｎ-1（ｔ／２ｄ）  …（１）
【００４１】
このように、隔壁６５の傾斜角度θがｔａｎ-1（ｔ／２ｄ）より小さいので、黒色を表示するときに、黒色粒子７４が電気泳動層７０の略半分に集まる場合、対向面に垂直な方向から、表示する色とは反対の色の白色粒子７３が見えなくなる。
【００４２】
なお、画素電極６３の電位が高くなるように電圧が印加された結果、白色粒子７３及び黒色粒子７４が、画素電極６３と共通電極６４との距離ｔの１／ｎ（ｎは２より大きい実数）に集められる場合、傾斜角度θは、以下の式（２）を満たせばよい。
０＜θ＜ｔａｎ-1（ｔ／ｎｄ）  …（２）
【００４３】
図５は、図４に示した隔壁の変形例を説明する断面図である。図４に示したように、隔壁６５は一方向に傾斜したものに限定されず、図５に示すように、交互に異なる方向に傾斜するようにしてもよい。
【００４４】
図６は、図４に示した隔壁の変形例を説明する断面図である。図６に示すように、隔壁６５は、共通電極６４の対向面に対して傾斜して設けられる部分として傾斜部６５ａを有し、画素電極６３の対向面に対しては垂直に設けるようにしてもよい。このように、隔壁６５が対向面に対して傾斜する傾斜部６５ａを有するので、一部のみが傾斜するように隔壁６５を形成することができる。なお、図６において、隔壁６５は共通電極６４の対向面に対して傾斜して設けられる部分として傾斜部６５ａのみを有しているが、これに限定されず、画素電極６３の対向面に対しても傾斜して設けられる部分を有していてもよい。
【００４５】
図５及び図６に示した隔壁６５を成形する方法としては、例えば、所定形状のスタンパーを用いてスタンピングする方法や、複数回のフォトリソグラフィを繰り返す方法や、インクジェット装置から隔壁材料を吐出して堆積させた後、隔壁材料を硬化させる方法などを用いることができる。
【００４６】
図７は、図３に示したＢ−Ｂ線矢視方向断面図である。図７に示すように、隔壁６５は、図４に示したＸ軸方向と同様に、Ｙ軸方向にも傾斜するようにしてもよい。このように、隔壁６５がＸ軸及びＹ軸の両方に対して傾斜する場合、対向面に垂直な方向の光が隔壁６５を透過することで、隔壁６５の背後に隠れるＸ軸方向及びＹ軸方向に隣の電気泳動層７０の黒色粒子７４を見ることができる。
【００４７】
本実施形態では、電気泳動層７０が電気泳動粒子として白色粒子７３及び黒色粒子７４を含むように構成したが、これに限定されず、他の色に着色された電気泳動粒子を用いるようにしてもよい。また、各電気泳動層７０ごとに異なる色、例えば赤色、青色、緑色の電気泳動粒子を用いるようにしてもよい。
【００４８】
従来の電気泳動表示装置では対向面に垂直な方向の光が隔壁６５を透過しても黒色粒子７４は見えなかったが、このように、本発明に係る電気泳動表示装置によれば、画素電極６３及び共通電極６４のうち少なくとも一方の対向面に対し、隔壁６５が傾斜して設けられるので、対向面に垂直な方向の光が隔壁６５を透過することで、隔壁６５の背後に隠れる隣の電気泳動層７０の黒色粒子７４を見ることができる。これにより、隔壁６５部分が例えば白く又は黒く見えるようになり、表示部２０全体で白色は明るく、黒色は暗く表示することができ、コントラスト比を向上させることができる。
【００４９】
また、対向面における所定の直交座標軸のうち少なくとも一方の座標軸に対し、隔壁６５が傾斜するので、隔壁６５が両方の座標軸に対して傾斜する場合、対向面に垂直な方向の光が隔壁を透過することで隔壁の背後に隠れるＸ軸方向及びＹ軸方向に隣の電気泳動層７０の電気泳動粒子を見ることができる。これにより、さらにコントラスト比を向上させることができる。
【００５０】
また、隔壁６５の傾斜角度θがｔａｎ-1（ｔ／２ｄ）より小さいので、黒色を表示するときに、黒色粒子７４が電気泳動層７０の略半分に集まる場合、対向面に垂直な方向から、表示する色とは反対の色の白色粒子７３が見えなくなる。これにより、さらにコントラスト比を向上させることができる。
【００５１】
また、隔壁６５が対向面に対して傾斜して設けられる部分として傾斜部６５ａを有するので、一部のみが傾斜するように隔壁６５を形成することができる。これにより、傾斜部６５ａ以外の形状を自由に形成した隔壁６５を構成することができる。
【００５２】
（電子機器）
次に、図８乃至図１０を参照して本発明に係る電子機器について説明する。図８は、本発明に係る電気泳動表示装置を備える腕時計を説明する図である。図８（ａ）に示す正面図において、腕時計１００は、時計ケース１０１と、時計ケース１０１に連結された一対のバンド４０２とを備えている。
【００５３】
時計ケース１０１の正面には、本発明に係る電気泳動表示装置１０２と、秒針１１１と、分針１１２と、時針１１３とが設けられている。また、時計ケース１０１の側面には、操作子としての竜頭１２１と、１つ又は複数の操作ボタン１２２とが設けられている。
【００５４】
図８（ｂ）に示す側断面図において、時計ケース１０１の内部には収容部１０１Ａが設けられている。収容部１０１Ａには、電気泳動表示装置１と、ムーブメント１０３とが収容されている。収容部１０１Ａの一端側（時計正面側）には、ガラス又は樹脂からなる透明カバー１０４が設けられている。収容部１０１Ａの他端側（時計裏側）には、パッキン１０５を介して裏蓋１０６が螺合され、透明カバー１０４及び裏蓋１０６によって時計ケース１０１が密封されている。
【００５５】
ムーブメント１０３は、秒針１１１、分針１１２及び時針１１３からなるアナログ指針が連結された運針機構（図示せず）を有している。この運針機構が秒針１１１、分針１１２及び時針１１３を回転駆動し、設定された時刻を表示する時刻表示部として機能する。
【００５６】
電気泳動表示装置１０２は、ムーブメント１０３の時計正面側に配置され、腕時計１００の表示部を構成している。また、電気泳動表示装置１０２の中央部には、電気泳動表示装置１０２の表裏を貫通する貫通孔１０２Ａが形成されている。貫通孔１０２Ａにはムーブメント１０３の運針機構の秒車１１４、二番車１１５及び筒車１１１６の各軸が挿入されている。各軸の先端には、秒針１１１、分針１１２及び時針１１３がそれぞれ取り付けられている。本実施形態では、電気泳動表示装置１０２の表示面は円形状に成形されているが、これに限定されず、例えば正八角形状、十六角形状等、他の形状に成形してもよい。
【００５７】
本発明に係る電気泳動表示装置は時計以外の電子機器にも適用することができる。図９は、本発明に係る電気泳動表示装置を備える電子ペーパー２００を示す斜視図である。図９に示すように、電子ペーパー２００は、前述した本発明に係る電気泳動表示装置を表示部２０１として備えている。電子ペーパー２００は可撓性を有し、従来の紙と同様の質感及び柔軟性を有する書き換え可能なシートからなる本体２０２を備えて構成されている。
【００５８】
図１０は、本発明に係る電気泳動表示装置を備える電子ノート３００を示す斜視図である。図１０に示すように、電子ノート３００は、図９に示した電子ペーパー２００が複数枚束ねられ、カバー３０１に挟まれているものである。カバー３０１は、例えば外部の装置から送られる表示データを入力する表示データ入力手段（図示せず）を備えている。これにより、その表示データに応じて、電子ペーパーが束ねられた状態のまま、表示内容の変更や更新を行うことができる。
【００５９】
このように、本発明に係る電子機器によれば、前述した本発明に係る電気泳動表示装置を備えるので、コントラスト比を向上させることができ、例えば発色の鮮やかな各種電子機器を実現することができる。
【００６０】
なお、本発明の構成は、前記実施形態にのみ限定されるものではなく、本発明の要旨を逸脱しない範囲内において種々変更を加えてもよい。
【図面の簡単な説明】
【００６１】
【図１】本発明に係る電気泳動表示装置の全体構成を説明する概略構成図である。
【図２】図１に示した各画素回路の構成を説明する回路図である。
【図３】図１に示した表示部の部分縦平面図である。
【図４】図３に示したＡ−Ａ線矢視方向断面図である。
【図５】図４に示した隔壁の変形例を説明する断面図である。
【図６】図４に示した隔壁の変形例を説明する断面図である。
【図７】図３に示したＡ−Ａ線矢視方向断面図である。
【図８】本発明に係る電気泳動表示装置を備える腕時計を説明する図である。
【図９】本発明に係る電気泳動表示装置を備える電子ペーパーを示す斜視図である。
【図１０】本発明に係る電気泳動表示装置を備える電子ノートを示す斜視図である。
【符号の説明】
【００６２】
１…電気泳動表示装置、６３…画素電極、６４…共通電極、６５…隔壁、６５ａ…傾斜部、７０…電気泳動層、７３…白色粒子、７４…黒色粒子、ｄ…間隔（厚さ）、ｔ…距離、θ…傾斜角度、１００…腕時計、２００…電子ペーパー、３００…電子ノート。
【図１】
2009230082.tif 000003
【図２】
2009230082.tif 000004
【図３】
2009230082.tif 000005
【図４】
2009230082.tif 000006
【図５】
2009230082.tif 000007
【図６】
2009230082.tif 000008
【図７】
2009230082.tif 000009
【図８】
2009230082.tif 000010
【図９】
2009230082.tif 000011
【図１０】
2009230082.tif 000012